(57)【要約】【目的】この発明は、クレジットカードやメンバーズカード、有価証券類、各種パッケージ、ラベルなどの偽造防止に役立つ安価で利便性のある機密情報隠蔽システムを提供するものである。【構成】ＢＬ（ブラックライト）（１）の照射により発色するルミネッセンス素材を包含するルミネッセンスインキ（２）を以って、印刷したルミネッセンスインキ情報（３）を金属蒸着フィルム（４）、または金属蒸着箔（５）で被服隠蔽した構成からなる、機密情報隠蔽システム。【選択図】図３
2004334824.tif 000002
【特許請求の範囲】
【請求項１】
ＢＬ（ブラックライト）（１）の照射により発色するルミネッセンス素材を包含するルミネッセンスインキ（２）を以って、印刷したルミネッセンスインキ情報（３）を金属蒸着フィルム（４）、または金属蒸着箔（５）で被服隠蔽した構成からなる、機密情報隠蔽システム。
【発明の詳細な説明】
【０００１】
【産業上の利用分野】
この発明は、通常時は印刷された機密情報を隠蔽して、機密情報を知りたい時には特定波長の不可視光線を照射することによって、隠蔽機能を解除して情報を開示できる、クレジットカード、メンバーズカード、パスポート、有価証券類、各種パッケージ、ラベルなどに用いる偽造防止システムを提供するものである。
【０００２】
【従来の技術】
従来の技術では、偽造防止手段として優れるホログラム印刷があるが、セキュリティー管理の観点で製造者と発注者の間での契約上の煩わしさがあり、また経費が高値なことでロットが大きくないと採算性に支障があり、ロット数の少ないユーザーにとっては利用が難しい欠点があった。さらに、最近諸外国でもホログラム生産が可能になり、ホログラム印刷のみでの偽造防止策だけでは、効果が薄くなりかけてきている。
【０００３】
【発明が解決しようとする課題】
（イ）簡便な手法により、短期間で内容の更新が容易なセキュリティー管理システムの構築。
（ロ）廉価なセキュリティーシステムの構築。
【０００４】
【課題を解決するための手段】
（イ）ルミネッセンス素材を包含した、ルミネッセンスインキ（２）を用いて、通常の印刷手法において機密情報を記録する。
（ロ）印刷記録されたルミネッセンスインキ情報（３）を反射率、透過率を調整した金属蒸着フィルム（４）または反射率、透過率を調整した金属蒸着箔（５）で被服隠蔽する。
（ハ）機密情報開示には不可視光線のＢＬ（ブラックライト）（１）を照射する。
【０００５】
【作用】
ルミネッセンス素材を包含するルミネッセンスインキ（２）は通常の可視光線下では、発色しないので、ルミネッセンスインキ情報（３）は判読できない。さらに被服した反射率や透過率を調整し金属蒸着フィルム（４）または被服した反射率や透過率を調整し金属蒸着箔（５）で被服することで、印刷痕跡も判別できない。しかしながら、被服した反射率や透過率を調整した金属蒸着フィルム（４）または被服した反射率や透過率を調整し金属蒸着箔（５）の上から不可視光線であるＢＬ（ブラックライト）（１）の遠紫外線領域３５０ｎｍ以下の光線を照射することによって、ルミネッセンスインキ（２）が感応して、ルミネッセンス情報（３）が輝度を以って発色して開示される。
【０００６】
【実施例】
ＢＬ（ブラックライト）（１）の照射により発色するルミネッセンス素材を包含するルミネッセンスインキ（２）を以って、印刷したルミネッセンスインキ情報（３）を金属蒸着フィルム（４）、または金属蒸着箔（５）で被服隠蔽した構成からなる、機密情報隠蔽システム。
（イ）ルミネッセンス素材を酢酸エチルエステル、トルエンなどの揮発性有機溶媒に溶解して、印刷対象物に密着性の高いクリアなメジウムやクリアなバインダーを混和し、ルミネッセンスインキ（２）を構成して印刷インキとする。
（ロ）上記の手法で構成したルミネッセンスインキ（２）を用いて、スクリーン印刷、オフセット印刷などの各種印刷方法でクレジットカード、メンバーズカード、パスポート、有価証券類、各種パッケージ、ラベル等に、ルミネッセンス情報（３）を印刷して乾燥する。
（ハ）ルミネッセンス素材には、無機系顔料と有機系染料があるが、特に無機系顔料はインキにした場合においては、耐候性に優れているが、溶剤が揮発した後に無機系顔料が固形化して痕跡として残る。
（ニ）有機系染料の場合においては、溶剤が揮発した後には痕跡は残さないが、耐候性に問題があり、ルミネッセンス機能としての寿命は比較的短い。寿命を延ばすためにルミネッセンス素材をより多く印刷する必要があり、そのためにスクリーン印刷等を利用しインキ層を厚くする必要があるが、インキ層を厚くした場合、混和したメジウムやバインダーが印刷痕跡として残るようになり、セキュリティーに支障が生ずるので、以下の対応を実施する。
（ホ）樹脂其の他の素材で構成された無色透明なるフィルムに半透明になるよう蒸着量を調整した金属蒸着を施し、金属蒸着フィルム（４）または金属蒸着箔（５）を構成する。
（ヘ）上記の金属蒸着フィルム（４）または金属蒸着箔（５）を（ロ）のルミネッセンスインキ（２）によって印刷されたルミネッセンスインキ情報（３）に重ねあわせ、金属蒸着面を通してルミネッセンス情報を見ると、無機系顔料の痕跡や有機系染料混和したメジウムやバインダーの印刷痕跡を確認する事ができなくなるため、情報を隠蔽することが可能となる。
（ト）また、上記の金属蒸着フィルム（４）または金属蒸着箔（５）を重ね合わせることにより、金属蒸着層で紫外線を反射拡散することができ、金属蒸着フィルム（４）または金属蒸着箔（５）の下にある有機ルミネッセンス素材の寿命を延ばす効果が予想される。
（チ）情報を確認する場合には被服した金属蒸着フィルム（４）または金属蒸着箔（５）の上からＢＬ（ブラックライト）（１）を照射することにより、ルミネッセンスインキ（２）で印刷され隠蔽されたルミネッセンスインキ情報（３）を発色させて金属蒸着フィルム（４）または金属蒸着箔（５）を透過して利用者の視覚に達し開示できる。
（リ）また樹脂其の他の素材で構成された無色透明なるフィルムに、反射率及び透過率を調整した半透明に近い金属蒸着を施し、さらにルミネッセンスインキ（２）を金属蒸着面に印刷し、ルミネッセンスインキ情報（３）を加えた金属蒸着フィルム（４）、または金属蒸着箔（５）として構成することもできる。
（ヌ）上記の金属蒸着フィルム（４）または金属蒸着箔（５）をクレジットカード、メンバーズカード、パスポート、有価証券類、各種パッケージ、ラベル等に直接貼付、もしくは転写加工することにより、金属蒸着層を通してルミネッセンス情報を見ることになり、無機ルミネッセンス素材や混和したメジウムやバインダーの印刷痕跡を確認する事ができなくなるため、情報を隠蔽することが可能となる。
（ル）情報を確認する場合には被服した金属蒸着フィルム（４）または金属蒸着箔（５）の上からＢＬ（ブラックライト）（１）を照射することにより、ルミネッセンスインキ（２）で印刷され隠蔽されたルミネッセンスインキ情報（３）を発色させて金属蒸着層を透過して利用者の視覚に達し開示できる。
（ヲ）また、上述の情報隠蔽システムを利用して、偽造防止だけではなく、くじ等の当選番号を認識する際のシステムとして利用したり、またキャラクター等をＢＬ（ブラックライト）で浮かび上がらせ視覚的な興味を呼び起こさせるグッズにも利用することができる。
【０００７】
【発明の効果】
従来の技術であるホログラムを用いる手法にくらべて、通常の印刷手法において実施できるので、安価であり、短期間で情報内容を更新することも容易であり、きわめて汎用性のある、セキュリティーシステムとなるので、経済性、利便性の改善に効果がある。
【図面の簡単な説明】
【図１】本発明の構成を示す斜視図
【図２】本発明の情報隠蔽実施例斜視図
【図３】本発明の情報開示実施例斜視図
【符号の説明】
（１）はＢＬ（ブラックライト）
（２）はルミネッセンスインキ
（３）はルミネッセンスインキ情報
（４）は金属蒸着フィルム
（５）は金属蒸着箔
（６）は隠蔽されたルミネッセンスインキ情報
（７）はセキュリティーカード
【図１】
2004334824.tif 000003
【図２】
2004334824.tif 000004
【図３】
2004334824.tif 000005